(57)【要約】【課題】本発明は、複数の記録層を有する多層構造において、光ピックアップの余計な移動を要せず、各記録層を識別する層情報の読出し及び試し書き処理を行わせて、そのまま記録動作に移行することができる光記録媒体を提供することを目的とする。【解決手段】記録光を案内する螺旋状のトラック１１、１２を各々有するオポジットトラックパス方式の多層構造の記録層３、４を備え、各々の記録層３、４にデータを記録する記録条件を決定するために試し書きされる試し書き領域を、記録再生時において該トラックの螺旋方向が内周側から外周側に向かう場合には少なくとも内周部に有し、外周側から内周側に向かう場合には少なくとも外周部に有し、各々の記録層３、４を識別する層情報を、記録再生時においてトラック１１、１２の螺旋方向が内周側から外周側に向かう場合には少なくとも内周部に有し、外周側から内周側に向かう場合には少なくとも外周部に有する。【選択図】図３
2008217981.tif 000002
【特許請求の範囲】
【請求項１】
記録光を案内する螺旋状のトラックを各々有するオポジットトラックパス方式の多層構造の記録層を備え、各々の該記録層にデータを記録することが可能な光記録媒体であって、
該各々の記録層にデータを記録する記録条件を決定するために試し書きされる試し書き領域を、記録再生時において該トラックの螺旋方向が内周側から外周側に向かう場合には少なくとも内周部に有し、外周側から内周側に向かう場合には少なくとも外周部に有し、
前記各々の記録層を識別する層情報を、記録再生時において前記トラックの螺旋方向が内周側から外周側に向かう場合には少なくとも内周部に有し、外周側から内周側に向かう場合には少なくとも外周部に有することを特徴とする光記録媒体。
【請求項２】
前記各々の記録層を識別する層情報が前記トラック自体にプリフォーマットされていることを特徴とする請求項１に記載の光記録媒体。
【請求項３】
前記多層構造の記録層は、奇数番層と偶数番層とでその記録位置としてグルーブトラックとランドトラックとが交互に設定されていることを特徴とする請求項２に記載の光記録媒体。
【請求項４】
前記各々の記録層を識別する層情報が前記トラックを構成するピット又はグルーブとしてプリフォーマットされていることを特徴とする請求項２又は３に記載の光記録媒体。
【請求項５】
前記各々の記録層を識別する層情報が前記トラック自体に位相変調によりプリフォーマットされていることを特徴とする請求項２乃至４のいずれか一項に記載の光記録媒体。
【請求項６】
前記各々の記録層を識別する層情報を、データ領域外の前記トラック上に有することを特徴とする請求項１乃至５のいずれか一項に記載の光記録媒体。
【請求項７】
前記各々の記録層は、前記各々の記録層を識別する層情報を個別に有することを特徴とする請求項１乃至６のいずれか一項に記載の光記録媒体。
【請求項８】
最初に記録される前記記録層は、前記記録光の入射側から見て最も手前側に位置することを特徴とする請求項１乃至７のいずれか一項に記載の光記録媒体。
【請求項９】
最初に記録される前記記録層は、前記記録光の入射側から見て最も奥側に位置することを特徴とする請求項１乃至７のいずれか一項に記載の光記録媒体。
【請求項１０】
前記各々の記録層は、前記記録光の波長に対して透明であり、トラックを形成した基板上に積層されていることを特徴とする請求項１乃至９のいずれか一項に記載の光記録媒体。
【請求項１１】
ＤＶＤ＋Ｒ規格に準拠し、片面２層の前記記録層を有することを特徴とする請求項１乃至１０のいずれか一項に記載の光記録媒体。
【請求項１２】
ＤＶＤ＋ＲＷ規格に準拠し、片面２層の前記記録層を有することを特徴とする請求項１乃至１０のいずれか一項に記載の光記録媒体。
【請求項１３】
請求項１乃至１２のいずれか一項に記載の光記録媒体が備える記録層の一つにデータを記録するステップと、
該データが記録された記録層に隣接する記録層の前記試し書き領域に試し書きをして前記記録条件を決定するステップと、
該決定された記録条件で該隣接する記録層にデータを記録するステップを備えることを特徴とする情報記録方法。
【発明の詳細な説明】
【技術分野】
【０００１】
本発明は、記録光を案内するトラックを各々有する多層構造の記録層を備え、各々の記録層に対してユーザデータの記録が可能な光記録媒体及び情報記録方法に関する。
【背景技術】
【０００２】
記録型ＤＶＤディスクとして追記型ＤＶＤディスクであるＤＶＤ＋Ｒや書換え型ＤＶＤディスクであるＤＶＤ＋ＲＷなどがあり、これらのディスクは片面１層の再生専用ＤＶＤディスクと高い再生互換性を持つ記録型ＤＶＤディスクである。このような記録型ディスクは高速化、大容量化のための研究開発が盛んに行われている。
【０００３】
このように、積層された複数の記録層を有する光記録媒体において、光入射面に対して奥に配されている記録層への記録再生光は手前の記録層を経ている。そのため、記録光の強度の変化により記録層の光学的特性を変化させる光記録媒体においては、記録光の波形条件、強度条件が異なる。また、複数の記録層へ順次記録を行う場合、記録情報の記録中に発生した熱などにより記録光の波形条件、強度条件は記録開始時から変動していく。そのため単層の記録層を持つ光記録媒体とは異なる波形条件、強度条件が必要になる。
【０００４】
このようなことから、例えば、特許文献１によれば、データ層に、データ層固有の情報として、そのデータ層を特定する情報やそのデータ層の記録条件を、記録トラック延在方向において低反射率領域と高反射率領域とが交互に存在するバーコード状に設けるようにした提案例がある。
【特許文献１】特開２００２−５００５３公報
【発明の開示】
【発明が解決しようとする課題】
【０００５】
ところが、特許文献１に記載された提案例は、データ層固有情報を、トラッキングサーボを行わずに読み出せるようにすることを基本とするものであり、光ピックアップとしては本来の動作ではデータ層固有情報を読み出せないばかりでなく、データ層固有情報領域＝バーコード情報領域が占める部分を情報記録に活用できないため、記録情報密度が極端に少なくなってしまうものである。
【０００６】
本発明は、複数の記録層を有する多層構造において、光ピックアップの余計な移動を要せず、各記録層を識別する層情報の読出し及び試し書き処理を行わせて、そのまま記録動作に移行することができる光記録媒体を提供することを目的とする。
【０００７】
本発明の目的は、加えて、本来の光ピックアップ動作で各々の記録層に適した記録条件を認識させることができ、良好なる記録動作に供するようにすることである。
【０００８】
本発明の目的は、加えて、データ領域の記録信号に影響されずに記録条件を読み出せるようにすることである。
【課題を解決するための手段】
【０００９】
請求項１に記載の発明は、記録光を案内する螺旋状のトラックを各々有するオポジットトラックパス方式の多層構造の記録層を備え、各々の該記録層にデータを記録することが可能な光記録媒体であって、該各々の記録層にデータを記録する記録条件を決定するために試し書きされる試し書き領域を、記録再生時において該トラックの螺旋方向が内周側から外周側に向かう場合には少なくとも内周部に有し、外周側から内周側に向かう場合には少なくとも外周部に有し、前記各々の記録層を識別する層情報を、記録再生時において前記トラックの螺旋方向が内周側から外周側に向かう場合には少なくとも内周部に有し、外周側から内周側に向かう場合には少なくとも外周部に有することを特徴とする。
【００１０】
記録条件を決定するために試し書き領域に試し書きを行うことは一般に行われているが、このような試し書き領域を各々の記録層に設け、かつ、螺旋方向に合わせて内周部又は外周部に設定することにより、光ピックアップの余計な移動を要せず、試し書き処理を行わせて、そのまま記録動作に移行することができる。また、トラックとしては、螺旋状に形成されることが多いが、そのトラックの螺旋方向が内周側から外周側に向かう場合には内周部、外周側から内周側に向かう場合には外周部に各々記録条件等に関する情報を有することで、その記録層に対する記録動作開始に際して光ピックアップが最初にアクセスする側に一致することとなり、光ピックアップの余計な移動を要せず、各記録層を識別する層情報を読出すことができ、そのまま記録動作に移行することができる。
【００１１】
請求項２に記載の発明は、請求項１に記載の光記録媒体において、前記各々の記録層を識別する層情報が前記トラック自体にプリフォーマットされていることを特徴とする。
【００１２】
従って、各記録層を識別する層情報をトラック（誘導ピット或いは案内溝）上の情報信号として備えることにより、各々の記録層に適した記録条件等を、トラックに追従させる本来の光ピックアップ動作で認識させることができ、良好なる記録動作に供することができる。さらに、各記録層を識別する層情報としては、例えば、通常のピットや記録マーク等により記録するようにしてもよいが、トラック上の情報としてトラック自体にプリフォーマットさせておくことにより、データ領域を減らすことなく、必要な情報を埋め込んでおくことができる。
【００１３】
請求項３に記載の発明は、請求項２に記載の光記録媒体において、前記多層構造の記録層は、奇数番層と偶数番層とでその記録位置としてグルーブトラックとランドトラックとが交互に設定されていることを特徴とする。
【００１４】
従って、多層構造の記録層に記録する上で、トラックとしては、通常通り、何れの記録層に対してもグルーブ上のみに記録する、ランド上のみに記録する、或いは、グルーブ上及びランド上の双方に記録する、等の方式を採ってもよいが、奇数番層と偶数番層とでその記録位置がグルーブトラックとランドトラックとが交互に設定されている場合にも何ら支障なく適用できる。
【００１５】
請求項４に記載の発明は、請求項２又は３に記載の光記録媒体において、前記各々の記録層を識別する層情報が前記トラックを構成するピット又はグルーブとしてプリフォーマットされていることを特徴とする。
【００１６】
従って、各記録層を識別する層情報を透明基板に形成されてトラックを構成するピット又はグルーブとしてプリフォーマットしておくことにより、低コストで容易に媒体を作ることができる。
【００１７】
請求項５に記載の発明は、請求項２乃至４のいずれか一項に記載の光記録媒体において、前記各々の記録層を識別する層情報が前記トラック自体に位相変調によりプリフォーマットされていることを特徴とする。
【００１８】
従って、トラック自体に情報をプリフォーマットするための方法として、周期変調、振幅変調等の方法もあるが、記録媒体の状態により反射光の強度変動が大きく、かつ、同期信号が１００ｋＨｚのような高周期となるＤＶＤ＋Ｒ／ＲＷ型を想定した場合には、位相変調が好適となる。
【００１９】
請求項６に記載の発明は、請求項１乃至５のいずれか一項に記載の光記録媒体において、前記各々の記録層を識別する層情報を、データ領域外の前記トラック上に有することを特徴とする。
【００２０】
従って、トラック上の信号は記録層に情報が記録させる前と後とでは信号のＳＮが変化するため、トラック上に各記録層を識別する層情報を記録する位置としては、データ領域を避けることが好適であり、同心円状又は螺旋状のトラックの場合であれば、中周領域にデータ領域が設けられることが多いので、一般的には、内周部や外周部の一方又は両方に設けることが好ましい。
【００２１】
請求項７に記載の発明は、請求項１乃至６のいずれか一項に記載の光記録媒体において、前記各々の記録層は、前記各々の記録層を識別する層情報を個別に有することを特徴とする。
【００２２】
従って、各記録層を識別する層情報を記録層毎に個別に有することにより、各記録層の記録条件等の設定を適正に行うことができる上に、各記録層毎に記録条件等の条件を設定できるため、記録層の増加等に対しても記録条件のフォーマットを変更せずに拡張適用することができ、既に普及している単層構造の光記録媒体の場合との互換性もとりやすいものとなる。
【００２３】
請求項８に記載の発明は、請求項１乃至７のいずれか一項に記載の光記録媒体において、最初に記録される前記記録層は、前記記録光の入射側から見て最も手前側に位置することを特徴とする。
【００２４】
従って、最初に記録を行う記録層を、他の記録層の影響を最も受けない記録光の入射側から見て最も手前側に位置する記録層とすることにより、記録条件等の読出しを良好に行うことができる。
【００２５】
請求項９に記載の発明は、請求項１乃至７のいずれか一項に記載の光記録媒体において、最初に記録される前記記録層は、前記記録光の入射側から見て最も奥側に位置することを特徴とする。
【００２６】
従って、最初に記録を行う記録層を、記録光の入射面側から見て、最も奥に位置する記録層とすることにより、それ以降の手前側の記録層に対する記録時に、先行記録層の影響を受けずに記録できるため、安定した記録が行える。
【００２７】
請求項１０に記載の発明は、請求項１乃至９のいずれか一項に記載の光記録媒体において、前記各々の記録層は、前記記録光の波長に対して透明であり、トラックを形成した基板上に積層されていることを特徴とする。
【００２８】
従って、請求項１乃至９のいずれか一項に記載の光記録媒体を簡便かつ安価に提供することができる。
【００２９】
請求項１１に記載の発明は、請求項１乃至１０のいずれか一項に記載の光記録媒体において、ＤＶＤ＋Ｒ規格に準拠し、片面２層の前記記録層を有することを特徴とする。
【００３０】
従って、ＤＶＤ＋Ｒ規格に準拠し、片面２層の記録層を有する追記型の光記録媒体を対象とする場合に好適に適用することができる。
【００３１】
請求項１２に記載の発明は、請求項１乃至１０のいずれか一項に記載の光記録媒体において、ＤＶＤ＋ＲＷ規格に準拠し、片面２層の前記記録層を有することを特徴とする。
【００３２】
従って、ＤＶＤ＋ＲＷ規格に準拠し、片面２層の記録層を有する書換え型の光記録媒体を対象とする場合に好適に適用することができる。
【００３３】
請求項１３に記載の発明は、情報記録方法において、請求項１乃至１２のいずれか一項に記載の光記録媒体が備える記録層の一つにデータを記録するステップと、該データが記録された記録層に隣接する記録層の前記試し書き領域に試し書きをして前記記録条件を決定するステップと、該決定された記録条件で該隣接する記録層にデータを記録するステップを備えることを特徴とする。
【００３４】
記録条件を決定するために試し書き領域に試し書きを行うことは一般に行われているが、このような試し書き領域を各々の記録層に設け、かつ、螺旋方向に合わせて内周部又は外周部に設定することにより、当該光ピックアップの余計な移動を要せず、試し書き処理を行わせて、そのまま記録動作に移行することができる。また、トラックとしては、螺旋状に形成されることが多いが、そのトラックの螺旋方向が内周側から外周側に向かう場合には内周部、外周側から内周側に向かう場合には外周部に各々記録条件等に関する情報を有することで、その記録層に対する記録動作開始に際して光ピックアップが最初にアクセスする側に一致することとなり、当該光ピックアップの余計な移動を要せず、各記録層を識別する層情報を読出すことができ、そのまま記録動作に移行することができる。
【発明の効果】
【００３５】
請求項１に記載の発明によれば、記録条件を決定するために試し書き領域に試し書きを行うことは一般に行われているが、このような試し書き領域を各々の記録層に設け、かつ、螺旋方向に合わせて内周部又は外周部に設定することにより、光ピックアップの余計な移動を要せず、試し書き処理を行わせて、そのまま記録動作に移行することができる。また、トラックの螺旋方向が内周側から外周側に向かう場合には内周部、外周側から内周側に向かう場合には外周部に各々記録条件等に関する情報を有するので、その記録層に対する記録動作開始に際して光ピックアップが最初にアクセスする側に一致することとなり、当該光ピックアップの余計な移動を要せず、記録条件等の条件を読出すことができ、そのまま記録動作に移行することができる。
【００３６】
請求項２に記載の発明によれば、請求項１に記載の光記録媒体において、各記録層を識別する層情報をトラック上の情報信号として備えるので、各々の記録層に適した記録条件等を、トラックに追従させる本来の光ピックアップ動作で認識させることができ、良好なる記録動作に供することができる。さらに、各記録層を識別する層情報としては、例えば、通常のピットや記録マーク等により記録するようにしてもよいが、トラック上の情報としてトラック自体にプリフォーマットさせておくようにしたので、データ領域を減らすことなく、必要な情報を埋め込んでおくことができる。
【００３７】
請求項３に記載の発明によれば、請求項２に記載の光記録媒体において、多層構造の記録層に記録する上で、トラックとしては、通常通り、何れの記録層に対してもグルーブ上のみに記録する、ランド上のみに記録する、或いは、グルーブ上及びランド上の双方に記録する、等の方式を採ってもよいが、奇数番層と偶数番層とでその記録位置がグルーブトラックとランドトラックとが交互に設定されている場合にも何ら支障なく適用することができる。
【００３８】
請求項４に記載の発明によれば、請求項２又は３に記載の光記録媒体において、各記録層を識別する層情報を透明基板におけるピット又はグルーブ情報としてプリフォーマットしておくことにより、低コストで容易に媒体を作ることができる。
【００３９】
請求項５に記載の発明によれば、請求項２乃至４のいずれか一項に記載の光記録媒体において、トラック自体に情報をプリフォーマットするための方法として、周期変調、振幅変調等の方法もあるが、位相変調方式としたので、記録媒体の状態により反射光の強度変動が大きく、かつ、同期信号が１００ｋＨｚのような高周期となるＤＶＤ＋Ｒ／ＲＷ型の場合に好適に適用することができる。
【００４０】
請求項６に記載の発明によれば、請求項１乃至５のいずれか一項に記載の光記録媒体において、トラック上の信号は記録層に情報が記録させる前と後とでは信号のＳＮが変化するため、トラック上に記録条件に関する情報等を記録する位置としては、データ領域を避けることが好適であり、同心円状又は螺旋状のトラックの場合であれば、中周領域にデータ領域が設けられることが多いので、一般的には、内周部や外周部の一方又は両方に設けることが好ましい。
【００４１】
請求項７に記載の発明によれば、請求項１乃至６のいずれか一項に記載の光記録媒体において、各記録層を識別する層情報を記録層毎に個別に有することにより、各記録層の記録条件等の設定を適正に行うことができる上に、各記録層に記録条件等の条件を設定できるため、記録層の増加等に対しても記録条件のフォーマットを変更せずに拡張適用することができ、既に普及している単層構造の光記録媒体の場合との互換性もとりやすくすることができる。
【００４２】
請求項８に記載の発明によれば、請求項１乃至７のいずれか一項に記載の光記録媒体において、最初に記録を行う記録層を、他の記録層の影響を最も受けない記録光の入射側から見て最も手前側に位置する記録層とすることにより、記録条件等の読出しを良好に行うことができる。
【００４３】
請求項９に記載の発明によれば、請求項１乃至７のいずれか一項に記載の光記録媒体において、最初に記録を行う記録層を、記録光の入射面側から見て、最も奥に位置する記録層とすることにより、それ以降の手前側の記録層に対する記録時に、先行記録層の影響を受けずに記録できるため、安定した記録を行うことができる。
【００４４】
請求項１０に記載の発明によれば、各記録層は記録光の波長に対して透明であり、前記記録層毎の前記トラックを形成した基板上に積層されているので、請求項１乃至９のいずれか一項に記載の光記録媒体を簡便かつ安価に提供することができる。
【００４５】
請求項１１に記載の発明によれば、請求項１乃至１０のいずれか一項に記載の光記録媒体において、ＤＶＤ＋Ｒ規格に準拠し、片面２層の記録層を有する追記型の光記録媒体を対象とする場合に好適に適用することができる。
【００４６】
請求項１２に記載の発明によれば、請求項１乃至１０のいずれか一項に記載の光記録媒体において、ＤＶＤ＋ＲＷ規格に準拠し、片面２層の記録層を有する書換え型の光記録媒体を対象とする場合に好適に適用することができる。
【００４７】
請求項１３に記載の発明によれば、記録条件を決定するために試し書き領域に試し書きを行うことは一般に行われているが、このような試し書き領域を各々の記録層に設け、かつ、螺旋方向に合わせて内周部又は外周部に設定することにより、光ピックアップの余計な移動を要せず、試し書き処理を行わせて、そのまま記録動作に移行することができる。また、トラックの螺旋方向が内周側から外周側に向かう場合には内周部、外周側から内周側に向かう場合には外周部に各々記録条件等に関する情報を有するので、その記録層に対する記録動作開始に際して光ピックアップが最初にアクセスする側に一致することとなり、当該光ピックアップの余計な移動を要せず、記録条件等の条件を読出すことができ、そのまま記録動作に移行することができる。
【発明を実施するための最良の形態】
【００４８】
本発明の一実施の形態を図面に基づいて説明する。
【００４９】
［光記録媒体の基本構成］
本実施の形態では、記録再生光の入射方向に対して複数の記録層が積層された多層構造の光記録媒体を適用対象とする。図１は、本実施の形態で用いる光記録媒体１の断面構造図であり、例えば、記録再生光が一つの記録面側からのみ入射する片面２層型の例であって、透明基板２、第１記録層３、第２記録層４、透明基板５を順次積層させてなる。第１記録層３は、透明基板２上に形成された記録膜６と反射膜７との積層構造からなり、第２記録層４は透明基板５上に形成された反射膜８と記録膜９との積層構造よりなり、これらを接着膜１０で一体化してなる。
【００５０】
次に、各層の詳細について以下に述べる。
【００５１】
まず、記録膜６、９には記録光の入射による熱的及び又は光学的な影響により物理的形状又は光学的性質が変化する材料であるものが望ましい。例えば、ＤＶＤ＋Ｒ規格に準ずる追記型用片側２層の光記録媒体１の場合であれば、有機色素材料の場合、アゾ系色素、シアニン系色素、フタロシアニン系色素、ピリリウム系色素、アズレニウム系色素、スクワリリウム系色素、Ｎｉ、Ｃｒ等の金属錯塩系色素、ナフトキノン系、アントラキノン系色素インドフェノール系色素、インドアニリン系色素、トリフェニルメタン系色素、トリアリルメタン系色素、アミニウム系、ジインモニウム系色素及びニトロゾ化合物、ホルマザン金属キレートを挙げることが出きる。中でも、特に耐光性に優れるアゾ系色素、スクワリリウム系色素、ホルマザン金属キレートが望ましい。さらに必要に応じ、他の第３成分、例えばバインダー、安定剤等を含有させることができる。形成方法は有機色素を溶媒に展開しスピンコートにより塗布する方法、真空中でスパッタリングにより成膜させる方法がある。記録膜６、９の膜厚は通常３００Åから５０００Å、好ましくは７００Åから２０００Åとするのが望ましい。スピンコート法を用いた場合、残留溶媒を除去するために高温でアニールを行う方が望ましい。アニールする温度は通常８０℃から１１０℃が好適である。さらに、１００℃近辺が好適である。アニール時間は１５分から３０分が好適である。
【００５２】
上記の有機材料の他、原子配列を変化し情報の記録ができるＤＶＤ＋ＲＷ規格に準ずる書換え型用片側２層の光記録媒体１の場合であれば、相変化材料も使用可能である。この場合、記録膜６、９とは、相変化材料の膜及び相変化材料の熱を保持するための断熱保護膜を含めるものとする。具体的にはＡ−Ｂ−Ｃ−Ｇｅ−Ｔｅで代表される合金である。ここでＡ＝Ｃｕ、Ａｇ、Ａｕ、Ｓｃ、Ｙ、Ｔｉ、Ｚｒ、Ｖ、Ｎｂ、Ｃｒ、Ｍｏ、Ｍｎ、Ｆｅ、Ｒｕ、Ｃｏ、Ｒｈ、Ｎｉ、Ｐｄ、Ｈｆ、Ｔａ、Ｗ、Ｉｒ、Ｐｔ、Ｈｇ、Ｂ、Ｃ、Ｎ、Ｐ、Ｏ、Ｓ、Ｓｅ、ランタニド元素、アクチニド元素、アルカリ土類金属元素、不活性ガス元素、などのうち少なくとも１つの元素を表す。ＢはＴｌ、Ｉなどハロゲン元素、及びＮａなどのアルカリ金属元素のうち少なくとも１元素。ＣはＳｂ、ＳＮ、Ａｓ、Ｐｂ、Ｂｉ、Ｚｎ、Ｃｄ、Ｓｉ、Ａｌ、Ｇａ及びＩｎのうち少なくとも１元素。また、光磁気材料に使用される金属材料、例えば上記金属元素のＴｂ、Ｆｅ、Ｃｏなども記録膜６、９として使用可能である。保護膜は、同一或いは個別の材料により構成される。各々の材料として、ＳｉＯ、ＳｉＯ２、ＺｎＯ、ＳＮＯ２、Ａｌ２Ｏ３、ＴｉＯ２、Ｉｎ２Ｏ３、ＭｇＯ、ＺｒＯ２などの酸化物、Ｓｉ３Ｎ４、ＡｌＮ、ＴｉＮ、ＢＮ、ＺｒＮなどの窒化物、ＺｎＳ、Ｉｎ２Ｓ３、ＴａＳ４などの硫化物、ＳｉＣ、ＴａＣ、Ｂ４Ｃ、ＷＣ、ＴｉＣ、ＺｒＣなどの炭化物又はダイヤモンド状炭素、或いはこれらの２種以上の混合物が用いられる。また、成形方法としては、スパッタリング、イオンプレーティング、真空蒸着法、プラズマＣＶＤ法など後用いられる。
【００５３】
反射膜７、８は、例えば、スパッタ法により形成された銀膜が用いられる。この他に反射膜７、８の材料としては、アルミニウム、銀、銅などの金属材料又はこれらを主成分とする合金材料を使用することができる。特に金を主体とする金属又は合金を用いることが好適である。銀を主体とするときは、銀の含有率が８０〜１００原子％、特に９０〜１００％であることが好ましい。また、これらの反射膜７、８材料のうちでは、安価でありかつコンパクトディスクにおいて使用されて実績が有ることから、アルミニウムを使用することもできる。金属膜材料として金属材料又は合金材料を用いる場合には、スパッタリングや真空蒸着などの真空成膜方法によって、反射膜７、８を形成することができる。この場合、真空槽内の真空度を変えて（例えば、１０−５ｔｏｒｒ程度）スパッタリングを行い、密度又は結晶化の状態の違う膜を形成して金属反射膜の反射率を高くする技術を適用することもできる。本実施の形態のように、記録再生光の入射方向に対して少なくとも奥に１層以上記録層を有する反射膜７、８では反射光を通すため半透明の反射膜を形成する必要がある。そのための反射膜７、８の厚さとしては３００Å以上１０００Å以下が好適である。
【００５４】
記録膜６、９を形成する土台となる透明基板３、５としては、記録再生光の波長に対して透明である材質が望ましい。例えば、ポリカーボネート、アクリル樹脂、ポリメタクリル酸メチル、ポリスチレン樹脂、塩化ビニル樹脂、エポキシ樹脂などのプラスチック又はガラスが挙げられるが、これらに限定されるものではない。特に成形の容易さ、材質の安価さ、軽量差などからポリカーボネートやアクリル樹脂が望ましい。１つの対になる記録膜６、反射膜７、記録膜９、反射膜８は記録再生光の入射方向に対して記録膜６、９が手前にならなければいけない。そのため、透明基板２、５に対する記録膜と反射膜の積層順は、入射光が透明基板を経て記録層に達する場合は透明基板２、記録膜６、反射膜７の順に積層させ、入射光が該透明基板を経ずに記録層に達する場合は透明基板５、反射膜８、記録膜９の順に積層させることが望ましい。
【００５５】
反射膜７、８上に記録光案内用のトラックとなる案内溝（又は、誘導ピット＝プリピット）１１、１２を形成する方法として、透明基板２、５上に案内溝（又は、誘導ピット）１１、１２を形成し、その上に反射膜７、８を形成する方法が製造の簡便さ、価格から好適である。案内溝（又は、誘導ピット）１１、１２は案内溝（又は、誘導ピット）１１、１２の領域とその他の領域との記録再生光の経路差による干渉を用いて判別を行う場合、深さは透明基板２、５の屈折率をｎ、記録光の波長をλとしたときに、λ／８ｎの深さが最適である。
【００５６】
記録光誘導用の案内溝（又は、誘導ピット）１１、１２は、記録光が光記録媒体１上の記録領域に正確に走査するために誘導するとともに、記録光が光記録媒体１上を規定の線速にて走査するための同期信号を有することが一般的である。このとき、同期信号を発生させるため案内溝１１、１２を一定周期にて蛇行（ウォブル）させる方法が一般的である。ここに、本実施の形態のように、記録条件などの情報を記録光の案内溝（又は、誘導ピット）１１、１２上に記録させるためには案内溝（又は、誘導ピット）１１、１２から発生する同期信号に周期変調、振幅変調、位相変調などを行うことが好ましい。光記録媒体１の場合、当該光記録媒体１の状態により反射光の強度変動が大きく大きいため、振幅変調よりも周期変調、位相変調が好適である。さらにＤＶＤ＋Ｒ／ＲＷ型ディスクのように、同期信号が１００ｋＨｚと高周期の場合は位相変調が好適である。
【００５７】
記録膜６、９の積層構造の作製方法としては、透明基板２、５上に記録膜６、９と反射膜７、８を積層させ、透明基板２、５ごと接着させる方法が好適である。その際の接着膜１０として、粘着シート、熱硬化型接着剤、紫外線硬化型接着剤、カチオン系紫外線硬化型接着剤が好適である。さらに、平滑性、均一性から粘着シートがとくに望ましい。
【００５８】
このような条件で作製された記録層３、４を複数有する多層構造の光記録媒体１において、各々の記録層３、４では、入射される記録光の光学的条件、熱的条件等の環境条件が異なるため、同一の記録条件で高品質な記録は行えない。この場合の「光学的条件」とは、記録光の入射面からみて奥に配されている記録層（第２記録層４）では手前に配されている記録層（第１記録層３）を経ることによる強度変化、複数の透明基板２を経ることによる光路長の差と透明基板２の複屈折の影響による位相変動等である。また、「熱的条件」とは記録膜６、９近傍の反射膜７、８、透明基板２、５、接着膜１０などの順列や厚さの差から起因される記録層３、４への蓄熱、放熱条件である。
【００５９】
これらの環境条件の差を考慮した各記録層３、４に最適な記録条件を選択することで複数の記録層３、４への高品質な記録が行える。このときの記録条件は、記録光の強度、波長、位相、波面、発光波形などがあるが、単一の発光素子で簡便に調整できる強度条件と発光波形条件とを用いるのが最適である。
【００６０】
記録条件の内容としては、記録光の強度や波形を数値化した直接的なもの、或いは、光記録媒体１に対する試し書きや光記録媒体１の反射率変動などから間接的に記録条件を導出するための設定条件である。記録条件を導出する方法としては、記録光の強度条件を導出方法として、ＣＤ−Ｒ、ＤＶＤ±Ｒで用いられるβ法、ＣＤ−ＲＷ、ＤＶＤ±ＲＷで用いられるγ法が知られている。この場合、ターゲットとなるβやγ、さらに条件導出に用いられるおおよその記録強度などが記録条件に含まれる。また、波形条件を変更しながら試し書きを行い好適な波形条件を導出することも可能である。また、反射率の変動から記録膜厚さや透明基板の透過率などを推測し、それに適した記録条件を導出する方法も可能である。これらの記録条件を導出する方法を用いることにより、光記録媒体１の個体差に対応することができ、さらに記録条件としてトラックとしての案内溝（又は誘導ピット）１１、１２上に記録する情報量が少なくすることができる。
【００６１】
複数の記録層３、４を持つ光記録媒体１において、試し書きを行い、記録条件を最適化する場合、各記録層３、４に試し書き領域を設けることが好適である。また、記録開始時に全ての記録層３、４について試し書きを行い、記録条件を最適化することにより記録時の試し書きの時間を削減し連続記録を行うことができる。ただし、記録中の温度などの環境変動により発光素子の波長、効率など光学条件が変動し記録条件の最適化時と実際の記録時で記録条件が変動してしまう。そのため、各記録膜６、９の波長、温度に対する感度変動の情報を記録条件に含むことにより、記録開始時に最適化された記録条件に温度などの環境条件の変動による記録膜６、９の感度変動等から算出される条件を加えることにより記録開始時の試し書きのみで各記録層３、４に最適な記録条件が得られる。
【００６２】
トラックとしての案内溝（又は誘導ピット）１１、１２の信号は、記録層３、４に情報が記録される前と後では信号のＳＮが変化するため、光記録媒体１上で案内溝（又は誘導ピット）１１、１２に記録条件を記録する位置としては、使用者が任意の情報を記録するデータ領域を避ける方法が好適である。案内溝（又は誘導ピット）１１、１２が同心円状又は螺旋状に配されている場合、中周領域にデータ領域が設けられることが多いことから内周部、外周部の少なくとも一方に記録条件を記録することが好適である。
【００６３】
さらに、案内溝（又は誘導ピット）１１、１２が螺旋状に配されている場合、記録再生時に光記録媒体１が回転することにより連続的に光記録媒体１全面を走査することができる。この場合、記録開始時において光ピックアップの余計な移動を省くために記録開始を行う内周部又は外周部、螺旋方向が光記録媒体１の記録再生時の回転方向に対し外周に向かう場合は内周部に、内周に向かう場合は外周部に記録条件を有する方が好適である。
【００６４】
また、記録条件を光記録媒体１上に試し書きを行って決定することにより、温度、湿度などの環境条件も加味した好適な記録条件を導出できる。この場合も記録開始時において良好な記録品質を得るために記録開始を行う内周部又は外周部、螺旋方向が光記録媒体１の記録再生時の回転方向に対し外周に向かう場合は内周部に、内周に向かう場合は外周部に試し書き領域を有する方が好適である。この場合、光ピックアップの余計な移動を省くとともに、試し書きから記録までの時間を短縮することで好適な記録条件の経時的な変動を抑えることができる。
【００６５】
各記録層３、４への記録条件の記録方法として、各記録層３、４に同仕様の記録条件を記録する方法が挙げられる。この場合、各記録層３、４に記録条件の設定及び／又は記録条件を導出する設定をすることができるため、後々の記録層の数の増加に対して記録条件のフォーマットを変更せず拡張することができる。そのため、ＤＶＤ±Ｒ／ＲＷやＣＤ−Ｒ／ＲＷなどのように既に単一記録層の光記録媒体として普及している光記録媒体においても適用することが容易である。
【００６６】
また、各記録層３、４への記録条件の記録方法として、各記録層３、４のうち最初に記録を行う記録層（即ち、第１記録層３）に対して記録条件を記録し、さらに当該記録層３を識別する情報を対になる反射膜７を有し、他の記録層４に対しては第１記録層３の記録条件から当該記録層４用の記録条件を導出するための情報を記録する方法が挙げられる。この方法では前述の記録方法に比べ、第２記録層４以降の記録層について記録条件に必要な情報量が削減できる。そのため、余剰信号を付加することで誤り訂正能力を向上させれば、第１記録層３を記録により信号のＳＮ比が低下しても十分な読出し能力を維持することができる。
【００６７】
さらに、各記録層３、４への記録条件の記録方法として、第１記録層３に全ての記録層３、４の記録条件を記録する方法がある。この場合、単一記録層との互換性は維持しづらくなるが、第２記録層４以降の記録条件の読取りを行う必要がないため、第２記録層４以降は当該記録層４の識別信号のみ読出せるだけの信号品質でよい。最初に記録を行う第１記録層３は最も他の記録層４などの要因を受けずに読出せる記録光入射面に対し最も手前の記録層であることが望ましい。或いは、逆に、最初に記録を行う第１記録層３を、記録光の入射側から見て最も奥側に位置する記録層としてもよい。即ち、最初に記録を行う第１記録層３を、記録光の入射面側から見て、最も奥に位置する記録層とすれば、それ以降の手前側の第２記録層に対する記録時に、第１記録層を含む先行記録層の影響を受けずに記録できるため、安定した記録が行えることとなる。
【００６８】
さらに、複数の記録層３、４を持つ光記録媒体１の場合、各記録層３、４を続けて記録した場合と全ての記録層３、４を連続した場合で記録装置内の発熱の蓄積量が変わるため温度等の環境条件が大きく異なる。特に、半導体レーザを光源とした場合、温度による波長変動が顕著である。そのため、光記録媒体１上の記録条件に温度や波長による記録条件の変動を設ける方法が望ましい。これにより、光記録媒体１のどの位置から記録を開始しても好適な記録が可能となる。
【００６９】
［信号フォーマットの構成例］
上述した各種構成例に基づく、本実施の形態の具体的な構成例（信号フォーマット例）を構成例１〜４として図２〜５を参照して説明する。
【００７０】
図２〜５は構成例１〜４の記録用案内溝（トラック）１１、１２上に記録された信号フォーマット例を模式的に示す。また、図６は単層構造例を示す比較例である。これらの図中、「対応規格情報」とは、光記録媒体１の対応規格バージョンのことである。「ディスク構造」とは、光記録媒体１の大きさ、案内溝１１、１２のトラックピッチ等の物理的形状情報、記録膜の材料、データ領域の開始アドレス、終了アドレス情報、光記録媒体１の使用目的などの情報である。「記録層番号」は各々記録層３、４により異なる値を入れることにより記録層３、４の識別に用いる層情報である。「ベンダー情報」、「バージョン情報」は光記録媒体１のベンダー情報（メーカ識別情報）、光記録媒体１の製造バージョン情報である。「波長条件」は波長による記録膜の感度変動を表したものである。
【００７１】
［構成例１］
図２に示す構成例１は、第１記録層３、第２記録層４とも媒体内周側から外周側に向けた螺旋状の案内溝１１、１２を有するパラレルトラックパス（ＰＴＰ）方式の光記録媒体１の例である。この例では、第１記録層３、第２記録層４の各々の案内溝１１、１２上において内周部に各々記録条件に関する情報、層情報がプリフォーマットされている例を示している。
【００７２】
従って、第１記録層３に対しては第１記録層３の案内溝１１上にプリフォーマットされた記録条件を用いて、第１記録層３上に試し書きを行い、最適記録条件を導出し、かつ、直接的な記録条件に従い直接記録を行う。第２記録層４に記録する場合は光記録媒体１内周部まで光ピックアップが移動し第２記録層４の案内溝１１上にプリフォーマットされた記録条件を用いて、第２記録層４上に試し書きを行い、最適記録条件を導出し、かつ、直接的な記録条件に従い直接記録を行う。よって、このような光記録媒体１を用いることにより各々の記録層３、４において最適な記録条件の基に記録を行わせることができる。
【００７３】
［構成例２］
図３に示す構成例１は、第１記録層３は媒体内周側から外周側に向けた螺旋状の案内溝１１を有するが、第２記録層４は媒体外周側から内周側に向けた螺旋状の案内溝１２を有するオポジットトラックパス（ＯＴＰ）方式の光記録媒体１の例である。この例では、第１記録層３の案内溝１１上においては内周部に記録条件に関する情報、層情報がプリフォーマットされ、第２記録層４の案内溝１２上においては外周部に記録条件に関する情報、層情報がプリフォーマットされている例を示している。
【００７４】
従って、第１記録層３に対しては構成例１の場合と同様に第１記録層３上の記録条件を用いて、第１記録層３上に試し書きを行い、最適記録条件を導出し、かつ、直接的な記録条件に従い直接記録を行う。続けて、第２記録層４に記録する場合は外周部まで行っている光ピックアップで第２記録層４上の記録条件を用いて、第２記録層４の外周部に試し書きを行い、最適記録条件を導出し、かつ、直接的な記録条件に従い直接記録を行う。
【００７５】
よって、このような光記録媒体１を用いることにより、第１記録層３から第２記録層４への光ピックアップの移動は最短になるためほぼ連続した記録が可能であり、かつ、各々の記録層３、４において最適な記録条件の基に記録を行わせることができる。また、第１記録層３の案内溝１１に記録された信号フォーマットは図６に示す比較例１の単層記録層のものとほぼ同等であり、光記録媒体１としての下位互換性が高いものとなる。
【００７６】
［構成例３］
図４に示す構成例３は、構成例２の場合と同様なオポジットトラックパス（ＯＴＰ）方式の光記録媒体１の例であるが、構成例２の場合と異なり、第２記録層４の案内溝１２上においては、当該第２記録層４の記録条件に関する情報としては、第１記録層３の記録条件から当該第２記録層４用の記録条件を導出するための間接的な記録条件の情報が記録されており、記録条件に必要な情報量が構成例２の場合よりも少なくなっている。
【００７７】
従って、第１記録層３に対しては構成例１、２の場合と同様に第１記録層３上の記録条件を用いて、第１記録層３上に試し書きを行い、最適記録条件を導出し、かつ、直接的な記録条件に従い直接記録を行う。続けて、第２記録層４に記録する場合は外周部まで行っている光ピックアップで第２記録層４上の記録条件を用いて、第２記録層４の外周部に試し書きを行い、最適記録条件を導出し、かつ、第１記録層３の記録条件に基づく導出情報に従い当該第２記録層４用の記録条件を導出してその条件に従い記録を行う。
【００７８】
よって、このような光記録媒体１を用いることにより、第１記録層３から第２記録層４への光ピックアップの移動は最短になるためほぼ連続した記録が可能であり、かつ、各々の記録層３、４において最適な記録条件の基に記録を行わせることができる。また、第１記録層３の案内溝１１に記録された信号フォーマットは図６に示す比較例１の単層記録層のものとほぼ同等であり、光記録媒体１としての下位互換性が高いものとなる。さらに、第２記録層４の記録条件は第１記録層３からの変更する条件のみを用いるため記録条件に必要な情報量を少なくすることができる。
【００７９】
［構成例４］
図５に示す構成例４は、構成例２、３の場合と同様なオポジットトラックパス（ＯＴＰ）方式の光記録媒体１の例であるが、構成例２、３の場合と異なり、記録条件に関する情報は、全て第１記録層３の案内溝１１上に記録され、層情報のみが各々の記録層３、４に各々記録されている。
【００８０】
従って、第１記録層３に対しては構成例１〜３の場合と同様に第１記録層３上の記録条件を用いて、第１記録層３上に試し書きを行い、最適記録条件を導出し、かつ、直接的な記録条件に従い直接記録を行う。続けて、第２記録層４に記録する場合は外周部まで行っている光ピックアップで第２記録層４上の層情報のみ認識し、記録条件に関しては第１記録層３で取得した第２記録層４用の記録条件を用いて、第２記録層４の外周部に試し書きを行い、最適記録条件を導出し、かつ、記録条件に従い記録を行う。
【００８１】
よって、このような光記録媒体１を用いることにより、第１記録層３から第２記録層４への光ピックアップの移動は最短になるためほぼ連続した記録が可能であり、かつ、各々の記録層３、４において最適な記録条件の基に記録を行わせることができる。また、第２記録層４の記録条件は第１記録層３において記録されているので、第２記録層４を識別するための層情報のみの認識で済ませることができる。
【００８２】
［情報記録方法］
従って、これらの構成例１〜４に例示されるような本発明の光記録媒体１が光情報記録装置に装填された場合の情報記録方法としては、概略的には、図７に示す処理を採ればよい。まず、光記録媒体１の装填の有無を監視し（ステップＳ１）、装填された場合には、光記録媒体１に対する記録動作に先立ち、光記録媒体１の案内溝１１、１２上から記録条件に関する情報及び記録層３、４を識別する層情報を読出す（Ｓ２；条件読出しステップ。引き続き、読出された記録条件に関する情報及び記録層３、４を識別する層情報に基づき、記録対象となる記録層３又は４に対する記録条件を設定する（Ｓ３；記録条件設定ステップ）。そして、設定された記録条件に従い、記録対象となる記録層３又は４に対する記録動作を実行する（Ｓ４；記録動作実行ステップ）。
【００８３】
このようにして、本実施の形態によれば、複数の記録層３、４を有する多層構造の光記録媒体１の場合にも、案内溝１１、１２上の情報として備える記録条件に関する情報及び各記録層を識別する層情報を読出して、記録層３又は４に対する記録条件を設定して記録動作を実行させることにより、各記録層３、４に適した記録条件で最適な記録を行わせることができる。
【００８４】
［変形例］
なお、前述した説明では、多層構造の記録層３、４に記録する上で、トラックとしては、通常通り、いずれの記録層３、４に対してもグルーブ（案内溝１１、１２）上のみに記録する方式（ランド上のみに記録する、或いは、グルーブ上及びランド上の双方に記録する方式であっても同様）への適用例として説明したが、多層構造の記録層が、奇数番層と偶数番層とでその記録位置としてグルーブトラックとランドトラックとが交互に設定されている光記録媒体の場合でも同様に適用できる。例えば、第１記録層とそのウォブルは、従来通り、グルーブトラック（案内溝）上に配置させるが、第２記録層とそのウォブルはランドトラック上に配置させる、という新たな方式である。これは、主に有機色素系の材料が用いられている２層ディスクの第２記録層に記録を行う際に、第２記録層をある程度層方向に深くマークを行う必要があるが、この深さのマークを第２記録層のグルーブ上に形成しようとすると、構造的に記録を行う際の熱がランド側まで伝わってしまい、記録品質の悪化が生じてしまうことから、このような不具合を避けるためのトラック方式である。
【００８５】
図８を参照してこのトラック方式について説明する。まず、第１記録層３は反射層７に対してレーザ照射方向に溝構造を持つ記録膜６が形成され、第２記録層４も反射層８に対してレーザ照射方向に溝構造を持つ記録膜９が形成されている。この溝は、ディスクの中心方向から外周に向かって螺旋状に形成されており、情報記録再生装置は、この溝に添って再生及び記録を行う。一般的にレーザの照射面側に近い方の溝をグルーブトラック１１、遠い方の溝をランドトラック１３と呼んでおり、第１記録層３ではグルーブトラック１１上に記録膜６が形成され、第２記録層４ではランドトラック１３上に記録膜９が形成されている。即ち、第１記録層３と第２記録層４とで、異なる形態のトラック上に記録膜が形成されている。
【００８６】
より詳細には、第１記録層３の溝構造は、グルーブトラック１１が記録膜６によって形成されている。グルーブトラック１１には、図９（ａ）に示すように、ウォブリングが施されており、このウォブル信号にはディスク面内における位置情報や、ＯＰＣを行う際の記録パワー及び記録パルス形状などが記録されている。第１記録層３の奥には、接着層１０や無機保護層１４を挟んで第２記録層４が形成されている。第２記録層４は第１記録層３とは異なり、ランドトラック１３に記録膜９が形成されており、ウォブル信号もランドトラック１３に記録されている（図９（ｂ）参照）。このウォブル信号には、第２記録層４の位置情報や、ＯＰＣを行う際の記録パワー及び記録パルス形状などが記録されている。
【００８７】
このようなトラック方式を採る光ディスクの場合であっても、図２〜５で説明したような、各記録層３、４への記録条件の記録方法を採用することができる。
【図面の簡単な説明】
【００８８】
【図１】本発明の一実施の形態を示す光記録媒体の断面構造図である。
【図２】構成例１の場合の案内溝上の信号フォーマット例を示す模式図である。
【図３】構成例２の場合の案内溝上の信号フォーマット例を示す模式図である。
【図４】構成例３の場合の案内溝上の信号フォーマット例を示す模式図である。
【図５】構成例４の場合の案内溝上の信号フォーマット例を示す模式図である。
【図６】比較例の場合の案内溝上の信号フォーマット例を示す模式図である。
【図７】情報記録方法を示す概略フローチャートである。
【図８】トラック方式の異なる変形例を示す光記録媒体の断面構造図である。
【図９】その各トラック上のウォブル信号例を模式的に示す説明図である。
【符号の説明】
【００８９】
１    光記録媒体
３    第１記録層
４    第２記録層
１１、１２    トラック
【図１】
2008217981.tif 000003
【図２】
2008217981.tif 000004
【図３】
2008217981.tif 000005
【図４】
2008217981.tif 000006
【図５】
2008217981.tif 000007
【図６】
2008217981.tif 000008
【図７】
2008217981.tif 000009
【図８】
2008217981.tif 000010
【図９】
2008217981.tif 000011